(57)【特許請求の範囲】
【請求項１】
信号パターンあるいはグルーブを構成する微細凹凸を具備する支持基板と、ｎ層（但し、ｎ≧３である。）の記録層と、ｎ−１層の中間層と、を備え、
前記支持基板上に、前記記録層と、前記中間層とが交互に積層されてなり、
前記中間層は、前記支持基板側からｋ番目（但し、２≦ｋ≦ｎ−１である。）に積層されている中間層の外径Ｄｍ（ｋ）と、前記支持基板側からｋ−１番目に積層されている中間層の外径Ｄｍ（ｋ−１）とが、下記式（１Ｂ）の関係を満たすことを特徴とするディスク形状の多層光記録媒体。
Ｄｍ（ｋ−１）＜Ｄｍ（ｋ）      ・・・式（１Ｂ）
【請求項２】
信号パターンあるいはグルーブを構成する微細凹凸を具備する支持基板と、ｎ層（但し、ｎ≧３である。）の記録層と、ｎ−１層の中間層と、を備え、
前記支持基板上に、前記記録層と、前記中間層とが交互に積層されてなり、
前記中間層は、前記支持基板側からｋ番目（但し、２≦ｋ≦ｎ−１である。）に積層されている中間層の内径ｄｍ（ｋ）と、前記支持基板側からｋ−１番目に積層されている中間層の内径ｄｍ（ｋ−１）とが、下記式（２Ｂ）の関係を満たすことを特徴とするディスク形状の多層光記録媒体。
ｄｍ（ｋ−１）＞ｄｍ（ｋ）      ・・・式（２Ｂ）
【請求項３】
信号パターンあるいはグルーブを構成する微細凹凸を具備する支持基板と、ｎ層（但し、ｎ≧３である。）の記録層と、ｎ−１層の中間層と、を備え、
前記支持基板上に、前記記録層と、前記中間層とが交互に積層されてなり、
前記中間層は、前記支持基板側からｋ番目（但し、２≦ｋ≦ｎ−１である。）に積層されている中間層の外径Ｄｍ（ｋ）と、前記支持基板側からｋ−１番目に積層されている中間層の外径Ｄｍ（ｋ−１）とが、下記式（１Ｂ）の関係を満たし、
前記支持基板側からｋ番目に積層されている中間層の内径ｄｍ（ｋ）と、前記支持基板側からｋ−１番目に積層されている中間層の内径ｄｍ（ｋ−１）とが、下記式（２Ｂ）の関係を満たすことを特徴とするディスク形状の多層光記録媒体。
Ｄｍ（ｋ−１）＜Ｄｍ（ｋ）      ・・・式（１Ｂ）
ｄｍ（ｋ−１）＞ｄｍ（ｋ）      ・・・式（２Ｂ）
【請求項４】
信号パターンあるいはグルーブを構成する微細凹凸を具備する支持基板と、Ｎ層（但し、Ｎ≧４である。）の記録層と、Ｎ−１層の中間層と、を備え、
前記支持基板上に、前記記録層と、前記中間層とが交互に積層されてなり、
前記中間層の中で前記支持基板側から偶数番目の中間層の外径は、
奇数番目の中間層の中で、当該偶数番目の中間層に対して支持基板側に最近接して積層された中間層の外径よりも小さく、
且つ、奇数番目の中間層の中で、当該偶数番目の中間層（但し、Ｎ−１が偶数の場合、Ｎ−１番目の中間層を除く。）に対して支持基板と反対側に最近接して積層された中間層の外径よりも小さいことを特徴とするディスク形状の多層光記録媒体。
【請求項５】
信号パターンあるいはグルーブを構成する微細凹凸を具備する支持基板と、Ｎ層（但し、Ｎ≧４である。）の記録層と、Ｎ−１層の中間層と、を備え、
前記支持基板上に、前記記録層と、前記中間層とが交互に積層されてなり、
前記中間層の中で前記支持基板側から偶数番目の中間層の外径は、
奇数番目の中間層の中で、当該偶数番目の中間層に対して支持基板側に最近接して積層された中間層の外径よりも小さく、
且つ、奇数番目の中間層の中で、当該偶数番目の中間層（但し、Ｎ−１が偶数の場合、Ｎ−１番目の中間層を除く。）に対して支持基板と反対側に最近接して積層された中間層の外径よりも小さく、
前記中間層の中で前記支持基板側から偶数番目の中間層の内径は、
奇数番目の中間層の中で、当該偶数番目の中間層に対して支持基板側に最近接して積層された中間層の内径よりも大きく、
且つ、奇数番目の中間層の中で、当該偶数番目の中間層（但し、Ｎ−１が偶数の場合、Ｎ−１番目の中間層を除く。）に対して支持基板と反対側に最近接して積層された中間層の内径よりも大きいことを特徴とするディスク形状の多層光記録媒体。
【請求項６】
前記中間層が、ドライ光硬化性フィルムにより構成されていることを特徴とする請求項１乃至５のいずれか１項に記載の多層光記録媒体。
【発明の詳細な説明】
【技術分野】
【０００１】
本発明は、支持基板上に、記録層及び中間層がそれぞれ交互に複数層積層されている構成の多層光記録媒体に関するものである。
【背景技術】
【０００２】
従来から、樹脂製基板上に各種記録層を具備する構成の光記録媒体は、可搬性や非接触の記録再生による扱いやすさにより、オーディオビジュアルの分野において広く普及し、近年コンピュータの分野においても各種情報を記録する記録媒体として応用されつつある。
オーディオビジュアルの分野においては、その映像や音声のディジタル化、高品質化から、情報量は増加の一途を辿っており、それに伴って光記録媒体に求められる記録容量も増加している。また小型コンピュータの普及や、情報の多様化が進み、小型大容量の光記録媒体が要求されている。
【０００３】
記録容量を増加させる手段としては、大別して、記録用トラックピッチをより狭くし、記録マークをより小さくすることで記録密度を向上させる方法と、記録層を多層化することで、見かけ上の記録密度を向上させる方法の二つが存在する。
【０００４】
トラックピッチを狭くし、記録マークを小さくすることで記録密度を向上させる方法は、照射レーザの波長λを短くすることと、対物レンズの開口数ＮＡを大きくすることで達成される。
【０００５】
下記特許文献１においては、ＤＶＤの光学系である、λ＝０．６５μｍ、ＮＡ＝０．６０を発展させた光学系を用いた光記録媒体が提案されており、更に照射光の短波長化、レンズの開口数を大きくした光学系（λ＝０．４０５μｍ、ＮＡ＝０．８５）を適用したブルーレイディスクも市販されている。
【０００６】
一方、高記録密度化を図るために、記録層を多層化した記録媒体としては、例えば二層構造のＤＶＤ等が市販されている。
そして、上述した二つの記録密度を高める方法を併用した技術として、８層構造のＢｌｕ−ｒａｙ Ｄｉｓｃについての研究もなされている。
【０００７】
ところで、照射レーザ光が短波長で、かつ対物レンズが高ＮＡである光学系を使用した場合には、光ディスクが照射光の光軸に対して傾く（チルトする）ことによって発生するコマ収差の、記録／再生特性への悪影響が大きくなる。よって、これを軽減するべく、レーザ光照射側の光透過層の膜厚を薄くし、かつ厚みムラを小さく抑える必要がある。
また、上記のような光学系に適用する多層構造の光記録媒体においては、各記録層間の距離を高精度に制御し、層間干渉を防ぐ必要があることから、膜厚の制御に関しては許容量が単層の場合に比較して極めて厳しく、厚みムラに関しては、特に高い精度が要求される。
【０００８】
多層積層型の光記録媒体を製造する方法としては、フォトポリマー（以下２Ｐ）剤によって凹凸パターンをシート上に形成し、それを積層していく方法が知られている。
ところが、２Ｐ剤の広がりにはムラがあり、膜厚の精密な制御は困難であるという問題があった。
かかる問題に鑑みて、層厚が予め制御された樹脂シートを用いて多層構造の光記録媒体を作製する方法が下記特許文献２において提案された。
【０００９】
また、中間層の形成技術としては、下記特許文献３のように可動側金型と固定側金型とを嵌合して形成した密封構造内を気泡が発生することのない減圧雰囲気とし、その中で基板にスタンパの微細な凹凸パターンを熱により転写する方法がある。これにより、基板の記録面や記録層内に気泡などによる欠陥が発生することがなくなり、大容量で高密度な記録媒体を高歩留まりで製造することが可能となる。さらに、基板の記録面に対して垂直方向にスタンパを押圧させることにより、スタンパの横方向に移動する応力が掛からないので、記録面に転写される凹凸パターンの形状再現性が極めて良好になる。
【００１０】
さらに、下記特許文献４及び５では、中間層材料としてドライ光硬化性フィルムという材料を用いる方法も提案されている。ここで用いられるドライ光硬化性フィルムとは、ゲル状の半硬化状態（未硬化と完全硬化の間の状態）のフィルムであって、かつ、記録層に対して接着力を発揮する状態のものである。このような特徴を持つドライ光硬化性フィルムを中間層として記録層上に形成し、光を透過するスタンパを貼り合わせた状態で光照射を行い、中間層をゲル状態から光硬化させ、しかる後に光を透過するスタンパを剥離させることで中間層の凹凸が得られる。
【００１１】
これらの方法によって、多層メディアにおける各中間層の膜厚分布は良好となったが、そのシート同士の内外径サイズが同じである為、後述するように２層以上の中間層を重ねると、スタンパを剥がす際に記録層ごと剥がれてしまうと言う問題（層間剥離）が有った。
【００１２】
上記層間剥離について、図を参照して説明する。
例えば、図１４（ａ）〜（ｅ）に、支持基板１００上に、記録層１０１、中間層２０１、記録層１０２、中間層２０２が順次積層された２層構造の光記録媒体の作製工程図を示す。
図１４（ａ）は、中間層２０２上に所定の微細凹凸を具備するスタンパ３００を圧着し転写する工程図である。
この工程後、スタンパ３００を剥離する際、図１４（ｂ）に示すように支持基板１００と記録層１０１の界面、図１４（ｃ）に示すように記録層１０１と中間層２０１との界面、図１４（ｄ）に示すように中間層２０１と記録層１０２の界面、図１４（ｅ）に示すように記録層１０２と中間層２０２の界面が剥がれ易いという問題があった。さらに付言すると、この層間剥離は、図１３に示した２層構造よりも３層及び４層以上の構成の光記録媒体のほうが生じ易く、高記録密度化のための多層化における問題となっている。
【００１３】
ところで、下記特許文献６には、ＲＯＭ信号が形成された中間層シートの外周よりもその上に積み上げられたカバー層の外周は大きく、中間層シートの内周よりもカバー層の内周は小さい、という構成の光記録媒体が開示されている。しかしながら、かかる構成は中間層とカバー層とのサイズの比較であり、多層に中間層を積み上げていった場合に起こる問題について何ら検討されてはいない。
【００１４】
【特許文献１】特開２００１−３５７５７１号公報
【特許文献２】特開２００３−１３２５９３号公報
【特許文献３】特開２００２−４２３８７号公報
【特許文献４】特開２００７−２９４０９８号公報
【特許文献５】特開２００７−３０５２２０号公報
【特許文献６】特開２００６−３３１５６６号公報
【発明の開示】
【発明が解決しようとする課題】
【００１５】
上記課題を解決するために本発明に係る多層光記録媒体は、具体的には下記（IV）〜（VII）ならびに（IX）及び（Ｘ）に記載の技術的特徴を有する。
【課題を解決するための手段】
【００２２】
上記（III）に記載の発明によれば、外周側と内周側において層間の接着強度が高まり、スタンパの転写剥離工程の際の、層間の剥離の発生を確実に防止できた。
【００２３】
（IV）：信号パターンあるいはグルーブを構成する微細凹凸を具備する支持基板と、ｎ層（但し、ｎ≧３である。）の記録層と、ｎ−１層の中間層と、を備え、前記支持基板上に、前記記録層と、前記中間層とが交互に積層されてなり、前記中間層は、前記支持基板側からｋ番目（但し、２≦ｋ≦ｎ−１である。）に積層されている中間層の外径Ｄｍ（ｋ）と、前記支持基板側からｋ−１番目に積層されている中間層の外径Ｄｍ（ｋ−１）とが、下記式（１Ｂ）の関係を満たすことを特徴とするディスク形状の多層光記録媒体。
Ｄｍ（ｋ−１）＜Ｄｍ（ｋ）      ・・・式（１Ｂ）
【００２４】
上記（IV）に記載の発明によれば、支持基板側から積層される複数の中間層において、中間層外径のサイズを徐々に大きくなるようにしたことにより、スタンパ転写剥離工程の際の層間の剥離の発生が効果的に防止された。
【００２５】
（Ｖ）：信号パターンあるいはグルーブを構成する微細凹凸を具備する支持基板と、ｎ層（但し、ｎ≧３である。）の記録層と、ｎ−１層の中間層と、を備え、前記支持基板上に、前記記録層と、前記中間層とが交互に積層されてなり、前記中間層は、前記支持基板側からｋ番目（但し、２≦ｋ≦ｎ−１である。）に積層されている中間層の内径ｄｍ（ｋ）と、前記支持基板側からｋ−１番目に積層されている中間層の内径ｄｍ（ｋ−１）とが、下記式（２Ｂ）の関係を満たすことを特徴とするディスク形状の多層光記録媒体。
ｄｍ（ｋ−１）＞ｄｍ（ｋ）      ・・・式（２Ｂ）
【００２６】
上記（Ｖ）に記載の発明によれば、支持基板側から積層される複数の中間層において、中間層内径のサイズを徐々に小さくなるようにしたことにより、スタンパ転写剥離工程の際の、層間の剥離の発生が効果的に防止された。
【００２７】
（VI）：信号パターンあるいはグルーブを構成する微細凹凸を具備する支持基板と、ｎ層（但し、ｎ≧３である。）の記録層と、ｎ−１層の中間層と、を備え、前記支持基板上に、前記記録層と、前記中間層とが交互に積層されてなり、前記中間層は、前記支持基板側からｋ番目（但し、２≦ｋ≦ｎ−１である。）に積層されている中間層の外径Ｄｍ（ｋ）と、前記支持基板側からｋ−１番目に積層されている中間層の外径Ｄｍ（ｋ−１）とが、下記式（１Ｂ）の関係を満たし、前記支持基板側からｋ番目に積層されている中間層の内径ｄｍ（ｋ）と、前記支持基板側からｋ−１番目に積層されている中間層の内径ｄｍ（ｋ−１）とが、下記式（２Ｂ）の関係を満たすことを特徴とするディスク形状の多層光記録媒体。
Ｄｍ（ｋ−１）＜Ｄｍ（ｋ）      ・・・式（１Ｂ）
ｄｍ（ｋ−１）＞ｄｍ（ｋ）      ・・・式（２Ｂ）
【００２８】
上記（VI）に記載の発明によれば、外周側と内周側において層間の接着強度が高まり、スタンパの転写剥離工程の際の、層間の剥離の発生を確実に防止できた。
【００２９】
（VII）：信号パターンあるいはグルーブを構成する微細凹凸を具備する支持基板と、Ｎ層（但し、Ｎ≧４である。）の記録層と、Ｎ−１層の中間層と、を備え、前記支持基板上に、前記記録層と、前記中間層とが交互に積層されてなり、前記中間層の中で前記支持基板側から偶数番目の中間層の外径は、奇数番目の中間層の中で、当該偶数番目の中間層に対して支持基板側に最近接して積層された中間層の外径よりも小さく、且つ、奇数番目の中間層の中で、当該偶数番目の中間層（但し、Ｎ−１が偶数の場合、Ｎ−１番目の中間層を除く。）に対して支持基板と反対側に最近接して積層された中間層の外径よりも小さいことを特徴とするディスク形状の多層光記録媒体。
【００３２】
上記（VIII）に記載の発明によれば、中間層内径のサイズを、隣り合う中間層同士で変化させるようにしたことにより、スタンパの転写剥離工程の際の、内周端部におけるストレスが軽減され、層間の剥離の発生が効果的に防止された。
【００３３】
（IX）：信号パターンあるいはグルーブを構成する微細凹凸を具備する支持基板と、Ｎ層（但し、Ｎ≧４である。）の記録層と、Ｎ−１層の中間層と、を備え、前記支持基板上に、前記記録層と、前記中間層とが交互に積層されてなり、前記中間層の中で前記支持基板側から偶数番目の中間層の外径は、奇数番目の中間層の中で、当該偶数番目の中間層に対して支持基板側に最近接して積層された中間層の外径よりも小さく、且つ、奇数番目の中間層の中で、当該偶数番目の中間層（但し、Ｎ−１が偶数の場合、Ｎ−１番目の中間層を除く。）に対して支持基板と反対側に最近接して積層された中間層の外径よりも小さく、前記中間層の中で前記支持基板側から偶数番目の中間層の内径は、奇数番目の中間層の中で、当該偶数番目の中間層に対して支持基板側に最近接して積層された中間層の内径よりも大きく、且つ、奇数番目の中間層の中で、当該偶数番目の中間層（但し、Ｎ−１が偶数の場合、Ｎ−１番目の中間層を除く。）に対して支持基板と反対側に最近接して積層された中間層の内径よりも大きいことを特徴とするディスク形状の多層光記録媒体。
【００３４】
（Ｘ）：前記中間層が、ドライ光硬化性フィルムにより構成されていることを特徴とする上記（IV）〜（VII）ならびに（IX）のいずれか１項に記載の多層光記録媒体。
【００３５】
（Ｘ）：前記中間層が、ドライ光硬化性フィルムにより構成されていることを特徴とする請求項１乃至９のいずれか１項に記載の多層光記録媒体。
【００３６】
上記（Ｘ）に記載の発明によれば、中間層としてドライ光硬化性フィルムを用いたことにより、上記効果に加え、均一な膜厚で厚みムラの極めて小さい、寸法精度にも優れた、短波長で高ＮＡの光学系に最適な高密度型の多層光記録媒体が得られた。
【発明の効果】
【００３７】
本発明によれば、複数層の記録層と中間層とが交互に積層されている構成の多層光記録媒体において、層間剥離の発生を防止し、同時に厚みムラの低減化を図り、寸法精度が高く、短波長で高ＮＡの光学系に好適な高密度型の多層光記録媒体を提供することができる。
【発明を実施するための最良の形態】
【００３８】
本発明の多層光記録媒体について、図を参照して具体的に説明するが、本発明は以下の例に限定されるものではない。
本発明の多層光記録媒体の概略上面図を図１に示す。中心孔を有するディスク形状であり、外周端部と内周端部を除いた領域が記録領域となっている。この記録領域においては、所定の信号パターン、あるいは、目的に応じた反射層、機能層等が形成されている。
【００３９】
図２に本発明の多層光記録媒体の一例の概略断面図を示す。
この多層光記録媒体は、中心孔を有するディスク形状の支持基板１の主面上に、記録層１１、１２と中間層２１とが形成されている。
なお、この図においては、記録層１１、１２と中間層２１を代表させて示しているが、本発明の多層光記録媒体は、ｎ層（但し、ｎ≧３である。）の記録層と、ｎ−１層の中間層とが、交互に積層されているものとする。
最上層には光透過性の材料よりカバー層３０が形成されている。
【００４０】
記録層１１は支持基板１の面上に信号あるいはグルーブとなる微細凹凸上に成膜された金属反射層によって構成されている。記録層１２は、中間層２１面上の微細凹凸上に成膜された半透明層によって構成されている。
【００４１】
符号２１に代表される中間層は、光透過性の樹脂により形成されるものとし、例えば、ドライ光硬化性フィルムが好適に用いられる。膜厚は、１５〜３０μｍの範囲で用いられるが、２５μｍが好適である。膜厚を１５μｍ未満とすると、他層との層間クロストークが発生してしまうおそれがある。一方、３０μｍを超えると、それぞれの層を対物レンズの非点収差内に収めることができなくなるおそれがある。
ドライ光硬化性フィルムを用いることにより、常温条件下においても信号やグルーブパターンの微細凹凸を確実に転写できる。
【００４２】
ドライ光硬化性フィルムは、ゲル状のフィルムであり、光透過性のスタンパを貼り合わせた状態で光照射を行うことにより転写と光硬化を行うことができる。
中間層形成用のドライ光硬化性フィルムの材料としては、特に限定されるものではないが、以下に示す材料が適用できる。
【００４３】
例えば、ブチルアクリレート６２重量部と、メチルメタクリレート１０重量部と、２−ヒドロキシエチルアクリレート２８重量部とを酢酸エチル中で反応させて、官能基にヒドロキシル基を有するアクリル系共重合体の酢酸エチル溶液（固形分濃度４０重量％）を得る。続いて、そのアクリル系共重合体の酢酸エチル溶液２５０重量部に、酢酸エチル１００重量部と、置換基にイソシアナート基を有する不飽和基含有化合物としてのメタクリロイルオキシエチルイソシアナート３０重量部（アクリル系共重合体の２−ヒドロキシエチルアクリレート１００当量に対し８０．５当量）と、触媒としてのジブチル錫ジラウレート０．１２重量部とを添加し、窒素雰囲気下、室温で２４時間反応させて、エネルギー線硬化型共重合体を得た。このエネルギー線硬化型共重合体の重量平均分子量（Ｍｗ）は、６０００００であった。
得られたエネルギー線硬化型共重合体固形分１００重量部に光重合開始剤である１−ヒドロキシシクロヘキシルフェニルケトン（チバ・スペシャリティ・ケミカルズ株式会社製、商品名：イルガキュア１８４）３．７重量部を溶解させて、固形分濃度を３５重量％に調整し、ドライ光硬化性フィルム用の塗布剤Ａとした。
【００４４】
一方、ポリエチレンテレフタレート（ＰＥＴ）フィルム（例えば厚さ３８μｍ）の片面に重剥離型のシリコーン樹脂で離型処理した重剥離型剥離シート（剥離処理面の表面粗さ：Ｒａ＝０．０１６μｍ）、およびＰＥＴフィルム（例えば厚さ３８μｍ）の片面に軽剥離型のシリコーン樹脂で離型処理した軽剥離型剥離シート（剥離処理面の表面粗さ：Ｒａ＝０．０２３μｍ）の２種類の剥離シートを用意した。
上記塗布剤Ａを、ナイフコーターによって上記重剥離型剥離シートの離型処理面上に塗布して９０℃で１分間乾燥させ、例えば厚さ１０μｍのドライ光硬化性フィルムを形成した。そして、そのドライ光硬化性フィルムの表面に上記軽剥離型剥離シートを積層して、製造工程において用いる中間層形成用のドライシートとした。
【００４５】
積層されている複数の中間層の隣り合うもの同士で、外径あるいは内径の少なくともいずれかを異なったものとしている。中間層外径及び／または内径のサイズを、隣り合う中間層同士で変化させるようにしたことにより、スタンパの転写剥離工程の際の、外周端部及び／または内周端部におけるストレスが軽減され、層間の剥離の発生が効果的に防止される。
すなわち、下記の構成を具備するものとする。
【００４６】
（１）支持基板側から、第一の中間層、第二の中間層、第三の中間層、第四の中間層・・・と積層していく中間層外径のサイズが徐々に小さくなっていくものとする。
（２）支持基板側から、第一の中間層、第二の中間層、第三の中間層、第四の中間層・・・と積層していく中間層内径のサイズが徐々に大きくなっていくものとする。
（３）支持基板側から、第一の中間層、第二の中間層、第三の中間層、第四の中間層・・・と積層していく中間層外径のサイズが徐々に小さくなり、中間層内径のサイズが徐々に大きくなってものとする。
（４）支持基板側から、第一の中間層、第二の中間層、第三の中間層、第四の中間層・・・と積層していく中間層外径のサイズが徐々に大きくなっていくものとする。
（５）支持基板側から、第一の中間層、第二の中間層、第三の中間層、第四の中間層・・・と積層していく中間層内径のサイズが徐々に小さくなっていくものとする。
（６）支持基板側から、第一の中間層、第二の中間層、第三の中間層、第四の中間層・・・と積層していく中間層外径のサイズが徐々に大きくなり、中間層内径のサイズが徐々に小さくなってものとする。
（７）支持基板側から、第一の中間層、第二の中間層、第三の中間層、第四の中間層・・・と積層していく中間層の外径のサイズが、第一の中間層では大きく、第二の中間層では小さく、第三の中間層では大きく、と、交互に変化するものとする。
（８）支持基板側から、第一の中間層、第二の中間層、第三の中間層、第四の中間層・・・と積層していく中間層の内径のサイズが、第一の中間層では小さく、第二の中間層では大きく、第三の中間層では小さく、と、交互に変化するものとする。
（９）支持基板側から、第一の中間層、第二の中間層、第三の中間層、第四の中間層・・・と積層していく中間層の外径のサイズが、第一の中間層では大きく、第二の中間層では小さく、第三の中間層では大きく、と、交互に変化し、中間層内径のサイズが第一の中間層では小さく、第二の中間層では大きく、第三の中間層では小さく、と、交互に変化するものとする。
【００４７】
ここで、ブルーレイの規格では記録エリアは直径φ１１７ｍｍまでとなっており、中間層は少なくとも記録エリアよりも大きい外径を持つ必要がある。またディスクの外径はφ１２０ｍｍであり、中間層は少なくともディスク外径よりも小さい外径を持つ必要がある。すなわちφ１１７ｍｍ＜Ｄｍ＜φ１２０ｍｍという範囲に中間層の直径が存在しなければならない。
【００４８】
従って、上記（１）〜（６）のいずれかに記載の構成の場合、上記したブルーレイの規格である狭い範囲の中において中間層のサイズを調整する必要があるため、記録層が３層（中間層は２層）の多層メディアではその位置調整も可能であるが、記録層が４層（中間層は３層）以上の多層メディアでは層数が増えるにつれてその位置調整が非常に困難になってくる。例えば中間層が３層ではその直径の大きさの違いは１ｍｍ未満とする必要があり、この微小なサイズ差のシートを正確に位置出しして積層することは難しい。
さらに、中間層シートとして用いるドライ光硬化性フィルムの接着性などの特性にも因るものの、本発明者らが鋭意検討を重ねた結果、シート直径の違いののりしろの部分は０．７ｍｍ以上（半径で言えば、０．３５ｍｍ以上）であれば層間の剥離の発生の防止効果が充分に発揮されることを見出した。
【００４９】
そこで、記録層数が多いメディアでは、中間層の大きさを交互に大小繰り返すことで歩留まりを向上させることも出来る。即ち、上記（７）〜（９）のいずれかに記載の構成により歩留まりを向上させることも出来る。
【００５０】
ここで、上記（７）に記載の構成は、信号パターンあるいはグルーブを構成する微細凹凸を具備する支持基板と、Ｎ層（但し、Ｎ≧４である。）の記録層と、Ｎ−１層の中間層と、を備え、前記支持基板上に、前記記録層と、前記中間層とが交互に積層されてなり、前記中間層は、前記支持基板側から２ｉ番目（但し、２≦２ｉ≦Ｎ−１である。）に積層されている中間層の外径をＤｍ（２ｉ）と、前記支持基板側から（２ｉ−１）番目に積層されている中間層の外径をＤｍ（２ｉ−１）とが、下記式（３）の関係を満たし、前記支持基板側から２ｊ番目（但し、２≦２ｊ≦Ｎ−２である。）に積層されている中間層の外径Ｄｍ（２ｊ）と、前記支持基板側から（２ｊ＋１）番目に積層されている中間層の外径Ｄｍ（２ｊ＋１）とが、下記式（４）の関係を満たすことを特徴とするディスク形状の多層光記録媒体と同義である。
【００５１】
Ｄｍ（２ｉ−１）＞Ｄｍ（２ｉ）      ・・・式（３）
Ｄｍ（２ｊ）＜Ｄｍ（２ｊ＋１）      ・・・式（４）
【００５２】
またここで、上記（８）に記載の構成は、信号パターンあるいはグルーブを構成する微細凹凸を具備する支持基板と、Ｎ層（但し、Ｎ≧４である。）の記録層と、Ｎ−１層の中間層と、を備え、前記支持基板上に、前記記録層と、前記中間層とが交互に積層されてなり、前記中間層は、前記支持基板側から２ｉ番目（但し、２≦２ｉ≦Ｎ−１である。）に積層されている中間層の内径をｄｍ（２ｉ）と、前記支持基板側から（２ｉ−１）番目に積層されている中間層の内径をｄｍ（２ｉ−１）とが、下記式（５）の関係を満たし、前記支持基板側から２ｊ番目（但し、２≦２ｊ≦Ｎ−２である。）に積層されている中間層の外径ｄｍ（２ｊ）と、前記支持基板側から（２ｊ＋１）番目に積層されている中間層の外径ｄｍ（２ｊ＋１）とが、下記式（６）の関係を満たすことを特徴とするディスク形状の多層光記録媒体と同義である。
【００５３】
ｄｍ（２ｉ−１）＜ｄｍ（２ｉ）      ・・・式（５）
ｄｍ（２ｊ）＞ｄｍ（２ｊ＋１）      ・・・式（６）
【００５４】
さらにここで、上記（９）に記載の構成は、信号パターンあるいはグルーブを構成する微細凹凸を具備する支持基板と、Ｎ層（但し、Ｎ≧４である。）の記録層と、Ｎ−１層の中間層と、を備え、前記支持基板上に、前記記録層と、前記中間層とが交互に積層されてなり、前記中間層は、前記支持基板側から２ｉ番目（但し、２≦２ｉ≦Ｎ−１である。）に積層されている中間層の外径をＤｍ（２ｉ）と、前記支持基板側から（２ｉ−１）番目に積層されている中間層の外径をＤｍ（２ｉ−１）とが、下記式（３）の関係を満たし、前記支持基板側から２ｊ番目（但し、２≦２ｊ≦Ｎ−２である。）に積層されている中間層の内径ｄｍ（２ｊ）と、前記支持基板側から（２ｊ＋１）番目に積層されている中間層の内径ｄｍ（２ｊ＋１）とが、下記式（４）の関係を満たし、前記支持基板側から２ｉ番目（但し、２≦２ｉ≦Ｎ−１である。）に積層されている中間層の内径をｄｍ（２ｉ）と、前記支持基板側から（２ｉ−１）番目に積層されている中間層の内径をｄｍ（２ｉ−１）とが、下記式（５）の関係を満たし、前記支持基板側から２ｊ番目（但し、２≦２ｊ≦Ｎ−２である。）に積層されている中間層の内径ｄｍ（２ｊ）と、前記支持基板側から（２ｊ＋１）番目に積層されている中間層の内径ｄｍ（２ｊ＋１）とが、下記式（６）の関係を満たすことを特徴とするディスク形状の多層光記録媒体と同義である。
【００５５】
Ｄｍ（２ｉ−１）＞Ｄｍ（２ｉ）      ・・・式（３）
Ｄｍ（２ｊ）＜Ｄｍ（２ｊ＋１）      ・・・式（４）
ｄｍ（２ｉ−１）＜ｄｍ（２ｉ）      ・・・式（５）
ｄｍ（２ｊ）＞ｄｍ（２ｊ＋１）      ・・・式（６）
【００５６】
カバー層３０は、光透過性の紫外線硬化性樹脂シートが好適であり、膜厚は６０〜９０μｍが好適である。特にブルーレイ規格では中間層の膜厚とカバー層との膜厚とを合わせて１００μｍとされているので、カバー層の膜厚は、積層数によって変わってくる。中間層が一層（上記のように２５μｍ）であれば、カバー層は７５μｍが最も好適な膜厚となる。
【００５７】
この多層光記録媒体においては、カバー層３０側からレーザ光を照射して記録あるいは再生がなされる。
このような高密度記録型の光記録媒体に対しては、開口度（ＮＡ）の大きな光学系を用いるため、カバー層３０は、表面性に優れ、気泡が残存していない状態であることが必要である。
具体的に、使用レーザ光の波長を４０５ｎｍ、対物レンズの開口数を０．８５とするとき、カバー層の屈折率（約１．５）、カバー層膜厚７５μｍとし、カバー層の内周と外周における膜厚差が３μｍ以下であるとき、良好な光学特性が得られた。
【００５８】
さらに、本発明の多層光記録媒体は、信号パターンあるいはグルーブを構成する微細凹凸を具備する支持基板と、ｎ層（但し、ｎ≧３である。）の記録層と、ｎ−１層の中間層と、カバー層と、を備え、前記支持基板上に、前記記録層と、前記中間層とが交互に積層され、さらに最上層のカバー層が積層されてなり、前記中間層は、前記支持基板側からｋ番目（但し、２≦ｋ≦ｎ−１である。）に積層されている中間層の外径Ｄｍ（ｋ）と、前記支持基板側からｋ−１番目に積層されている中間層の外径Ｄｍ（ｋ−１）と、前記支持基板の外径をＤｓと、前記カバー層の外径Ｄｃとが、下記式（７Ａ）を満たし、前記支持基板側からｋ番目に積層されている中間層の内径ｄｍ（ｋ）と、前記支持基板側からｋ−１番目に積層されている中間層の内径ｄｍ（ｋ−１）と、前記支持基板の内径ｄｓと、前記カバー層の内径ｄｃとが、下記式（８Ａ）を満たすことを特徴とするディスク形状の多層光記録媒体である。
【００５９】
Ｄｓ＞Ｄｃ＞Ｄｍ（ｋ）＞Ｄｍ（ｋ−１）      ・・・式（７Ａ）
ｄｍ（ｋ−１）＞ｄｍ（ｋ）＞ｄｃ＞ｄｓ      ・・・式（８Ａ）
【００６０】
本発明に係る多層光記録媒体の中で、上記式（７Ａ）及び（８Ａ）を満たす具体例における支持基板、カバー層、中間層及び記録層の配置関係を説明するための上面概略図を図３に示す。
本発明の多層光記録媒体は、上記式（７Ａ）及び（８Ａ）を満たすことで、層間の剥離発生を防止でき、剥離に起因する腐食現象も回避することができる。またさらに、本発明の多層光記録媒体は、下記式（７Ｂ）及び（８Ｂ）を満たすことで、同様の効果を得ることができ、その他、支持基板側から順に中間層の外径及び／または内径の大小関係が交互に変化する上記（７）〜（９）に記載の構成であっても同様である。
【００６１】
Ｄｓ＞Ｄｃ＞Ｄｍ（ｋ−１）＞Ｄｍ（ｋ）      ・・・式（７Ｂ）
ｄｍ（ｋ）＞ｄｍ（ｋ−１）＞ｄｃ＞ｄｓ      ・・・式（８Ｂ）
【実施例】
【００６２】
〔実施例１〕
この例における光記録媒体は、図４に示すように、支持基板１上に、記録層１１〜１３と中間層２１、２２とが、交互に積層されている。
支持基板１側から１番目に積層されている中間層２１の外径をＤｍ(1)、内径をｄｍ(1)としたとき、Ｄｍ（1）＞Ｄｍ(2)であり、かつｄｍ(2)＞ｄｍ(1)となっている。
最上層には、カバー層３０が、端部が支持基板１に接するように、積層構造の全面を覆うように形成されている。
【００６３】
この例における光記録媒体は、下記のようにして作製する。
先ず、支持基板１を作製する。支持基板１は、ポリカボネート材料（三菱エンジニアリング株式会社：ユーピロンH-4000）を使用し、成形機（住友重機械工業株式会社：SD40E）、膜厚１．１ｍｍ対応金型（株式会社精工技研）、スタンパ（株式会社リコー：BD-ROM用スタンパ）の成形システムを適用して、射出成形法により作製した。
続いて、図５に示すように、支持基板１上に、金属反射層（この例ではＡｇＢｉ合金）をスパッタ装置（エリコン株式会社：ＤＶＤスプリンター）を使用して、スパッタ法で成膜し、記録層１１を形成した。
その後、図６に示すように、記録層１１上に、厚さ２５μｍ、内径４２ｍｍ、外径１１８ｍｍのシート（リンテック株式会社）を圧着法で貼り付けて、中間層２１を形成した。
続いて、図７に示すように、中間層２１上に、ソフトスタンパ５０を、真空装置（株式会社ユーシン精機）を使用し、真空環境下で貼り付け、中間層２１にランドとグルーブの微細凹凸を転写させ、フラッシュＵＶを照射させて硬化させた。
なお、このソフトスタンパ５０は、所定の材料（日本ゼオン株式会社：ゼオノア1060R）を使用し、成形機（住友重機械工業株式会社：SD40E）、０．６ｍｍ用金型（株式会社精工技研）、スタンパ（株式会社リコー：BD-ROM用スタンパ）を具備する成形システムを使用して射出成形法により成形し作製されたものとする。
【００６４】
次に、図８に示すように、ソフトスタンパ５０を剥離装置（オリジン電気株式会社）を用いて内周部より剥がす。これにより第２の溝（微細凹凸）が転写される。続いて図９に示すように、記録層１２を上記記録層１１と同様にスパッタ法で形成した。
【００６５】
続いて、記録層１２上に、厚さ２５μｍ、内径４４ｍｍ、外径１１７ｍｍのシート（リンテック株式会社）を圧着法で貼り付けて、中間層２２を形成した。
【００６６】
次に、図１０に示すように、中間層２２上に所定のソフトスタンパ６０を真空装置を用いて貼り付け、第３の溝を転写させ、その後、ソフトスタンパを内周部より剥がした。
続いて、図１１に示すように、記録層１３を上記記録層１１、１２と同様にスパッタ法で形成した。
【００６７】
次に、図１２に示すように、紫外線硬化性樹脂（日本化薬株式会社）を、スピナー装置（グローバルマシーナリー株式会社）を使用して、スピンコート法で塗布した。これにより、膜厚５０μｍのカバー層３０を形成し、最終的に目的とする、BD-ROM型の、三層の記録層を具備する多層光記録媒体が得られた。
【００６８】
〔実施例２〜１５〕
中間層の内周径と外周径を変化させ、記録層を３層、あるいは４層具備するディスク型の光情報記録媒体を作製した。
ここで、図４に示す例とは異なる具体例である、支持基板側から見て１番目に積層された中間層の外径が、同２番目に積層された中間層の外径よりも小さい場合の多層光記録媒体の概略断面図を図１３に示す。この具体例における多層光記録媒体を構成する各層の名称は、いずれも図４に示す例と重複しているので説明は省略する。
〔比較例１、２〕
中間層の内周径及び外周径が等しくし、記録層を３層、あるいは４層具備するディスク型の光情報記録媒体を作製した。
【００６９】
上記実施例１〜１５、比較例１、２の光情報記録媒体のサンプルを、それぞれ１０枚ずつ作製し、これらの製造歩留まり（％）の評価を下記に示す方法によって行った。評価結果を下記表１に示す。
製造歩留まりの評価は、製造工程中にスタンパ（上記においてソフトスタンパと称しているものも含む）を剥がした後、下地側に損傷を及ぼさずに実用上十分な信号特性が得られる状態となっているか、あるいは下地側に損傷を及ぼして実用上十分な信号特性が得られない状態であるかを観察し、良好なサンプルの割合を算出することによって行った。
【００７０】
【表１】
0005122387.tif 000002
【００７１】
上記表１に示すように、本発明の構成を有する多層光記録媒体である実施例１〜１５においては、実用上十分に高い製造歩留まりが実現された。これにより、従来技術によって作製した比較例１、２のサンプルに比して層間剥離防止効果が向上したことが確認された。
【図面の簡単な説明】
【００７２】
【図１】本発明の多層光記録媒体の概略平面図を示す。
【図２】多層光記録媒体の概略断面図を示す。
【図３】本発明の多層光記録媒体における支持基板、カバー層、中間層及び記録層の配置関係の具体例を説明するための上面概略図を示す。
【図４】本発明の多層光記録媒体の一例の概略断面図を示す。
【図５】本発明の多層光記録媒体の一例の作製工程図を示す。
【図６】本発明の多層光記録媒体の一例の作製工程図を示す。
【図７】本発明の多層光記録媒体の一例の作製工程図を示す。
【図８】本発明の多層光記録媒体の一例の作製工程図を示す。
【図９】本発明の多層光記録媒体の一例の作製工程図を示す。
【図１０】本発明の多層光記録媒体の一例の作製工程図を示す。
【図１１】本発明の多層光記録媒体の一例の作製工程図を示す。
【図１２】本発明の多層光記録媒体の一例の作製工程図を示す。
【図１３】本発明の多層光記録媒体のその他の例の概略断面図を示す。
【図１４】（ａ）〜（ｅ）従来における多層光記録媒体のスタンパの剥離工程図を示す。
【符号の説明】
【００７３】
１  支持基板
１１，１２，１３  記録層
２１，２２  中間層
３０  カバー層
５０，６０  ソフトスタンパ
【図１】
0005122387.tif 000003
【図２】
0005122387.tif 000004
【図３】
0005122387.tif 000005
【図４】
0005122387.tif 000006
【図５】
0005122387.tif 000007
【図６】
0005122387.tif 000008
【図７】
0005122387.tif 000009
【図８】
0005122387.tif 000010
【図９】
0005122387.tif 000011
【図１０】
0005122387.tif 000012
【図１１】
0005122387.tif 000013
【図１２】
0005122387.tif 000014
【図１３】
0005122387.tif 000015
【図１４】
0005122387.tif 000016